(57)【要約】【課題】  シールド性能が高いと共に機械的強度が大きく容易に組み立てられること。【解決手段】  前側板１０、後側板１１、左側板１２および右側板１３により箱形のシャーシ１が形成され、その内部に電子回路が組み込まれたプリント基板が収納される。前側板１０および後側板１１の両端部には、左側板１２および右側板１３の側にほぼ直角に折曲された折曲部１０ａ，１１ａが形成されて断面コ字状とされている。該折曲部１０ａ，１１ａの先端にくさび状の係合突起１０ｂ，１１ｂが形成され、左側板１２および右側板１３の両端縁に係合突起１０ｂ，１１ｂが嵌合されるくさび状の係合凹部１２ａ，１３ａが形成されている。係合突起１０ｂ，１１ｂを係合凹部１２ａ，１３ａに嵌合することにより、シャーシ１を容易に組み立てることができる。【選択図】  図１
2010087179.tif 000002
【特許請求の範囲】
【請求項１】
それぞれ平板状の板金からなる前側板、後側板、左側板および右側板により箱形の側板が形成され、内部に電子回路が組み込まれた基板が収納されるシャーシであって、
前記前側板および前記後側板の両端部が、ほぼ直角に折曲された折曲部とされて、前記前側板および前記後側板は断面コ字状に形成され、該折曲部の先端に第１係合部が形成されていると共に、前記左側板および前記右側板の両端縁に第２係合部が形成されて、前記第１係合部に前記第２係合部が嵌合されて前記箱形の側板が組み立てられており、前記第１係合部および前記第２係合部が係合突起および係合凹部、あるいは、係合凹部および係合突起とされていることを特徴とするシャーシ。
【請求項２】
前記係合突起は、先端に行くほど幅が広がるくさび状の形状とされていると共に、前記係合凹部は、先端に行くほど幅が狭まるくさび状の形状とされて、前記係合突起とほぼ同形状とされていることを特徴とする請求項１記載のシャーシ。
【請求項３】
前記前側板および前記後側板の両端部に形成されている前記折曲部の長さが、前記左側板および前記右側板が配置されている前記側板における長さの約１／４の長さとされていることを特徴とする請求項１記載のシャーシ。
【発明の詳細な説明】
【技術分野】
【０００１】
本発明は、高周波を取り扱う電子機器に使用するシャーシの構造に関する。
【背景技術】
【０００２】
高周波を取り扱う電子機器のシャーシに関しては、内蔵する高周波回路をシールドすることから一般的に板金を用いて作成されている。このシャーシは、幅射しやすい高周波信号を漏らさない構造とされ、板金のカバーなどで内部に収納された回路基板などを覆うことにより、外部に影響を及ぼさないようにしている。また、この構成により外部からの不要な電波などの妨害波の進入も防止される。
【０００３】
従来のシャーシの一例の構成を図６および図７に示す。図６は、従来のシャーシの構成を示す斜視図であり、図７は従来のシャーシの構成を示す平面図である。
これらの図に示す従来のシャーシ１００は、板金を加工して作成されており、前側板１１０と、前側板１１０に対向する後側板１１１と、前側板１１０と後側板１１１との両端部の間に対向するよう設けられた左側板１１２と右側板１１３とを備えている。これにより、上面と下面とが開口された箱形のシャーシ１００が形成され、上面には大きな矩形の穴が複数形成されている上面板１１４が取り付けられている。前側板１１０および後側板１１１の両端部には縦に細長い係合穴１１０ａ，１１１ａがそれぞれ形成されており、左側板１１２および右側板１１３の両端縁には、係合穴１１０ａ，１１１ａに挿入可能な係合凸部１１２ａ，１１３ａがそれぞれ形成されている。係合凸部１１２ａ，１１３ａの形状は、くさび状とされて先端に行くほど幅が広くなるよう形成されている。そして、左側板１１２および右側板１１３の端縁に形成された係合凸部１１２ａ，１１３ａを、それぞれ前側板１１０および後側板１１１の両端部に形成されている係合穴１１０ａ，１１１ａにそれぞれ挿入して、係合穴１１０ａ，１１１ａから突出した係合凸部１１２ａ，１１３ａをひねるよう加工する。これにより、前側板１１０と後側板１１１との両端部に左側板１１２と右側板１１３とを固着することができる。
【発明の開示】
【発明が解決しようとする課題】
【０００４】
近年の電波の多様化、高周波化によって高周波を取り扱うシャーシに関しては、より一層のシールド性能が要求されてきている。シャーシのシールド性能と電気的特性を高めるには、シャーシの各面同士の電位差や内部の基板との電位差をなくすよう、シャーシの各面同士を電気的に安定して接続させる必要がある。これは、高周波になればなるほど表皮効果の影響を受けやすく面同士の結合部分でインピーダンスの変化が起きやすいためである。図６および図７に示す従来のシャーシ１００においては、シャーシ１００の側面同士を係合突部１１２ａ，１１３ａにひねりを加えて結合させている。また、この結合手段に替えて、側面同士を溶接により結合したり、側面同士をねじ止めにより結合することも行われている。
【０００５】
しかしながら、係合突部１１２ａ，１１３ａにひねりを加えて結合させる構造では、ひねりの具合にバラつきが生じやすいために電気的結合も不完全になりやすいという問題点があった。また、係合穴１１０ａ，１１１ａが出っ張るため、外側に余計なスペースが必要になり、シャーシをケースに収納する時などはデッドスペースになり小型化の妨げとなる。さらに、係合突部１１２ａ，１１３ａをひねる工程が必要になると共に、側板の板金として薄い板金を使用すると、係合突部１１２ａ，１１３ａの強度が弱くなるため、板金を薄くすることができないという問題点もあった。
さらにまた、側面同士を溶接により結合させる構造では、溶接をする設備機械が必要になると共に、溶接工程が必要になるという問題点がある。また、側板に溶接しろが必要となって板金の板の厚み分だけ突出してデッドスペースになり、溶接した部分が焦げているなど見栄えがよくないという問題点もあった。
【０００６】
さらにまた、側面同士をねじ止めにより結合する構造では、ねじが必要になると共に、ねじを螺着するねじ孔を設ける加工工程が必要になるという問題点がある。また、側板の板金の厚さを所定以上としないとねじが効かなくなると共に、ねじしろが必要となり、側板の板厚とねじの頭分が外側に出っ張ってしまいデッドスペースとなるという問題点もあった。
このように、従来のシャーシにおける側面同士を結合する構造においては、上記した問題点があった。また、従来のシャーシの構造においては、側面同士を結合した部分は点接触の結合となるため、シールド性能を高めるためには側面同士を結合した内側に半田付けなどを行って電気的な安定化を図る作業が必要になるという問題点があった。
【０００７】
そこで、本発明はシールド性能が高いと共に機械的強度が大きく容易に組み立てることができるシャーシを提供することを目的としている。
【課題を解決するための手段】
【０００８】
上記目的を達成するために、本発明のシャーシは、前側板、後側板、左側板および右側板により箱形の側板が形成され、内部に電子回路が組み込まれた基板が収納されるシャーシであって、前側板および後側板の両端部が、ほぼ直角に折曲された折曲部とされて、前側板および後側板は断面コ字状に形成され、該折曲部の先端に形成されている第１係合部が、左側板および右側板の両端縁に形成されている第２係合部に嵌合されて組み立てられていることを最も主要な特徴としている。
【発明の効果】
【０００９】
本発明によれば、前側板および後側板の両端部が、ほぼ直角に折曲された折曲部とされて、前側板および後側板は断面コ字状に形成され、該折曲部の先端に形成されている第１係合部が、左側板および右側板の両端縁に形成されている第２係合部に嵌合されており、第１係合部と第２係合部とが係合凹部および係合突起とされていることから、シールド性能に重要なシャーシの四隅に接触不良がおきないと共に、隙間も生じないようになりシールド性能が安定する。このため、従来構造のシャーシで生じていた面同士の接触不良に対処する措置として行われている半田付けの作業を省略することができる。また、前側板および後側板と左側板および右側板との側板同士は電気的に安定して接続されることから、側板間の高周波的電位差が生じにくくなる。さらに、第１係合部と第２係合部との嵌合は、前側板および後側板にプレス工程により折曲部を形成する加工を施す際に、同時に嵌合を完了することができるため、工程を増やすことなく容易にシャーシを組み立てることができる。さらにまた、シャーシの側板から突出する部分がないため、シャーシをケースに収納する時などは最小限の隙間で設計でき、機器の小型化をはかることができる。さらにまた、前側板および後側板の両側に折曲部が形成されて断面コ字状とされていることから、シャーシの剛性が向上するようになり、薄い板金を使用した場合でも必要な強度とシールド性能を実現することができるようになる。
【発明を実施するための最良の形態】
【００１０】
本発明の実施例にかかるシャーシの構成を示す斜視図を図１に、本発明の実施例にかかるシャーシを展開してその構成を示す斜視図を図２に示す。
これらの図に示す本発明にかかるシャーシ１は、板金を加工して作成されており、前側板１０と、前側板１０に対向する後側板１１と、前側板１０と後側板１１との両端部の間に対向するよう設けられた左側板１２と右側板１３との４面の側板を備えている。これにより、上面と下面とが開口された箱形のシャーシ１とされ、上面には大きな矩形の穴が複数形成されている上面板１４が取り付けられている。前側板１０の両端には、ほぼ直角に折曲された折曲部１０ａがそれぞれ形成されており、後側板１１の両端にも、ほぼ直角に折曲された折曲部１１ａがそれぞれ形成されて、前側板１０および後側板１１は断面コ字状に形成されている。この折曲部１０ａの先端には先端に行くほど幅が広がるくさび状の係合突起１０ｂが形成されており、折曲部１１ａの先端にも先端に行くほど幅が広がるくさび状の係合突起１１ｂが形成されている。
【００１１】
左側板１２の短辺とされる両端縁には、くさび状の係合突起１０ｂ、１１ｂが嵌合可能なほぼ同形状の先端に行くほど幅が狭まるくさび状とされた係合凹部１２ａが形成されており、右側板１３の短辺とされる両端縁にも、くさび状の係合突起１０ｂ、１１ｂが嵌合可能なほぼ同形状の先端に行くほど幅が狭まるくさび状とされた係合凹部１３ａが形成されている。そして、前側板１０の左側の折曲部１０ａの先端に形成されている係合突起１０ｂを、左側板１２の前側の端縁に形成された係合凹部１２ａに嵌合すると共に、後側板１１の左側の折曲部１１ａの先端に形成されている係合突起１１ｂを、左側板１２の後側の端縁に形成された係合凹部１２ａに嵌合する。さらに、前側板１０の右側の折曲部１０ａの先端に形成されている係合突起１０ｂを、右側板１３の前側の端縁に形成された係合凹部１３ａに嵌合すると共に、後側板１１の右側の折曲部１１ａの先端に形成されている係合突起１１ｂを、右側板１３の後側の端縁に形成された係合凹部１３ａに嵌合する。これにより、前側板１０と後側板１１との両端部の間に対向するよう左側板１２と右側板１３とを固着することができ、シャーシ１を組み立てることができる。シャーシ１には、電子回路が組み込まれたプリント基板が内蔵され、この電子回路における入出力用のＦ型接栓等とされる同軸端子１５を取り付ける取付穴１０ｃが前側板１０に４つ形成されており、この取付穴１０ｃにそれぞれ同軸端子１５が取り付けられている。
【００１２】
上記したように、本発明にかかるシャーシ１は、前側板１０と後側板１１にシャーシ１の左側面および右側面の一部となる折曲部１０ａおよび折曲部１１ａを形成して、前側板１０と左側板１２および右側板１３との結合と、後側板１１と左側板１２および右側板１３との結合をシャーシ１の側面内で行うことにより箱形に形成している。シャーシ１の側面における結合部分は、くさび状の係合突起１０ｂ，１１ｂが係合凹部１２ａ，１３ａに嵌合されて構成され、この結合部分はシャーシ１の四隅に配置されないと共に、側面から出っ張ることがないようにされている。折曲部１０ａ、１１ａの長さＬ１，Ｌ２は、シャーシ１の左側面および右側面の長さＬに対して約Ｌ／４とされている。また、係合突起１０ｂ，１１ｂと係合凹部１２ａ，１３ａとの嵌合部分は板金の断面が隙間なく、きつく嵌合されるように設計されており、この嵌合部分は、精度を上げるためにプレス工程による折曲部１０ａ，１１ａの箱曲げ工程時に同時に嵌合することができる。このように、本発明のシャーシ１は、容易に組み立てることができる。
なお、折曲部１０ａおよび折曲部１１ａの先端縁に係合突起１０ｂ，１１ｂに替えて係合凹部を設けると共に、左側板１２および右側板１３の先端に係合凹部１２ａ，１３ａに替えて係合突起を設けるようにしても良い。
【００１３】
本発明にかかるシャーシ１の周波数に対するイミュニティー特性を従来のシャーシ１００と対比させて図４および図５に示す。図４は周波数に対するイミュニティー特性を示す表であり、図５は周波数に対するイミュニティー特性を示すグラフとされている。なお、イミュニティー特性は、シャーシ１およびシャーシ１００の上面と下面との開口を図示しない金属製のカバーで覆った構成として測定している。
これらの図に示すように、本発明のシャーシ１においては、３００ＭＨｚにおいて約６３．９ｄＢ、５５０ＭＨｚにおいて約６０．５ｄＢ、７７０ＭＨｚにおいて約５９．２ｄＢ、１５００ＭＨｚにおいて約６４．３ｄＢ、２６００ＭＨｚにおいて約６０．８ｄＢのイミュニティーが得られており、３００ＭＨｚないし２６００ＭＨｚの周波数帯域の全体において約６０ｄＢ以上の良好なイミュニティー特性が得られている。これに対して、従来のシャーシ１００においては３００ＭＨｚにおいて約６０．５ｄＢ、５５０ＭＨｚにおいて約４４．３ｄＢ、７７０ＭＨｚにおいて約４１．７ｄＢ、１５００ＭＨｚにおいて約４９．９ｄＢ、２６００ＭＨｚにおいて約５２．５ｄＢのイミュニティーが得られており、３００ＭＨｚないし２６００ＭＨｚの周波数帯域の全体において約４２ｄＢ以上しか得られないイミュニティー特性とされている。このように、本発明のシャーシ１においては、３００ＭＨｚないし２６００ＭＨｚの周波数帯域の全体において従来のシャーシ１００よりイミュニティー特性が改善されており、７７０ＭＨｚにおいて最大１７．５ｄＢ改善することができる。
【００１４】
上記したように、本発明にかかるシャーシ１においては、同軸端子１５が取り付けられる前側板１０における折曲部１０ａおよび後側板１１における折曲部１１ａがシャーシ１の四隅に配置されているため、四隅において接触不良がおきないと共に、隙間も生じないようになりシールド性能が安定する。このため、従来構造のシャーシ１００において側面同士の接触不良に対する措置として行われていた半田付けの作業を省略することができる。また、折曲部１０ａ，１１ａと左側板１２および右側板１３との嵌合部分は、くさび状の係合突起１０ｂ，１１ｂをほぼ同形状の係合凹部１２ａ，１３ａに嵌合して構成されており、嵌合される断面全体できつく嵌合されて電気的に安定して接続されるようになるため、前側板１０および後側板１１と左側板１２および右側板１３との間に高周波的電位差が生じにくくなる。さらに、シャーシ１の左側面および右側面の長さＬに対して折曲部１０ａ，１１ａの長さＬ１，Ｌ２を約Ｌ／４として、上記嵌合部分をシャーシ１の四隅に配置しないようにしているため、本発明のシャーシ１の剛性を向上することができる。このため、従来のシャーシ１００においては各側板の厚さとして約１ｍｍが必要とされていたが、本発明のシャーシ１においては各側板の厚さを約０．５ｍｍとしても従来のシャーシ１００と同等以上の強度を得ることができる。さらにまた、本発明のシャーシ１においては、各側板から外方へ突出する部分がなく平面状とされているため、シャーシ１をケースに収納する時などは最小限の隙間で設計することができ、機器の小型化を図ることができる。
【００１５】
次に、本発明の実施例にかかるシャーシの変形例の構成を示す斜視図を図３に示す。
図３に示す本発明にかかる変形例のシャーシ２は、板金を加工して作成されており、前側板２０と、前側板２０に対向する後側板２１と、前側板２０と後側板２１との両端部の間に対向するよう設けられた左側板２２と右側板２３との４面の側板を備えている。これにより、上面と下面とが開口された箱形のシャーシ２が形成され、上面には大きな矩形の穴が複数形成されている上面板２４が取り付けられている。前側板２０の両端は、ほぼ直角に折曲されて折曲部２０ａがそれぞれ形成されており、後側板２１の両端も、ほぼ直角に折曲されて折曲部２１ａがそれぞれ形成されて、前側板２０および後側板２１は断面コ字状に形成されている。折曲部２０ａの先端には先端に行くほど幅が広がるくさび状の係合突起２０ｂが２つずつ形成されており、折曲部２１ａの先端にも先端に行くほど幅が広がるくさび状の係合突起２１ｂが２つずつ形成されている。
【００１６】
また、左側板２２の両端縁には、くさび状の係合突起２０ｂ、２１ｂが嵌合可能なほぼ同形状のくさび状とされた係合凹部２２ａが２つずつ形成されており、右側板２３の両端縁にもくさび状の係合突起１０ｂ、２１ｂが嵌合可能な図示されていないがほぼ同形状のくさび状とされた係合凹部が形成されている。そして、前側板２０の左側の折曲部２０ａの先端に形成されている２つの係合突起２０ｂを、左側板２２の前側の端縁に形成された２つの係合凹部２２ａに嵌合すると共に、後側板２１の左側の折曲部２１ａの先端に形成されている２つの係合突起２１ｂを、左側板２２の後側の端縁に形成された２つの係合凹部２２ａに嵌合する。さらに、前側板２０の右側の折曲部２０ａの先端に形成されている２つの係合突起２０ｂを、右側板２３の前側の端縁に形成された２つの係合凹部に嵌合すると共に、後側板２１の右側の折曲部２１ａの先端に形成されている２つの係合突起２１ｂを、右側板２３の後側の端縁に形成された２つの係合凹部に嵌合する。これにより、前側板２０と後側板２１との両端部の間に対向するよう左側板２２と右側板２３とを固着することができ、シャーシ２を組み立てることができる。シャーシ２には、電子回路が組み込まれたプリント基板が内蔵され、この電子回路における入出力用のＦ型接栓等とされる同軸端子を取り付ける取付穴２０ｃが前側板２０に４個設けられている。
他の構成はシャーシ１の構成と同様とされているので、その説明は省略するが、シャーシ２においても、上記したシャーシ１の作用効果とほぼ同様の作用効果を得ることができる。
【産業上の利用可能性】
【００１７】
本発明にかかるシャーシは、テレビ受信用ブースターなどのシャーシに適用して好適なものであり、適用した場合には、テレビ受信用ブースターの電子回路が組み込まれたプリント基板がシャーシに内蔵されると共に、シャーシの開口している上面と下面とに金属製のカバーが装着されてシールドされ、電源部を収納したケース内にシャーシも収納されるようになる。また、本発明にかかるシャーシはテレビ受信用ブースターに限らず高周波を取り扱う電子機器のシャーシに適用することができる。
なお、本発明のシャーシにおける上面板は、上面板の４辺を下方へ折り曲げて弾性を有させるようにし、この上面板をシャーシの上面に弾性的に嵌合させることによりシールド性能を確保しながら取り付けることができる。
【図面の簡単な説明】
【００１８】
【図１】本発明の実施例にかかるシャーシの構成を示す斜視図である。
【図２】本発明の実施例にかかるシャーシを展開してその構成を示す斜視図ある。
【図３】本発明の実施例にかかるシャーシの変形例の構成を示す斜視図である。
【図４】本発明にかかるシャーシの周波数に対するイミュニティー特性を従来のシャーシと対比させて示す図表である。
【図５】本発明にかかるシャーシの周波数に対するイミュニティー特性を従来のシャーシと対比させて示すグラフである。
【図６】従来のシャーシの一例の構成を示す斜視図である。
【図７】従来のシャーシの一例の構成を示す平面図である。
【符号の説明】
【００１９】
１  シャーシ、２  シャーシ、１０  前側板、１０ａ  折曲部、１０ｂ  係合突起、１０ｃ  取付穴、１１  後側板、１１ａ  折曲部、１１ｂ  係合突起、１２  左側板、１２ａ  係合凹部、１３  右側板、１３ａ  係合凹部、１４  上面板、１５  同軸端子、２０  前側板、２０ａ  折曲部、２０ｂ  係合突起、２０ｃ  取付穴、２１  後側板、２１ａ  折曲部、２１ｂ  係合突起、２２  左側板、２２ａ  係合凹部、２３  右側板、２４  上面板、１００  シャーシ、１１０  前側板、１１０ａ，１１１ａ  係合穴、１１１  後側板、１１２  左側板、１１２ａ，１１３ａ  係合凸部、１１２ａ，１１３ａ  係合突部、１１３  右側板、１１４  上面板
【図１】
2010087179.tif 000003
【図２】
2010087179.tif 000004
【図３】
2010087179.tif 000005
【図４】
2010087179.tif 000006
【図５】
2010087179.tif 000007
【図６】
2010087179.tif 000008
【図７】
2010087179.tif 000009